(57)【特許請求の範囲】
【請求項１】
デジタルデータストリームを、デジタルベースバンド信号に変換するか又はデジタル中間周波信号に変換する符号化装置であって、
当該符号化装置は、
前記デジタルベースバンド信号を出力するか又は前記デジタル中間周波信号を出力する少なくとも１つの第一の非同期シリアルインタフェースを備え、
更に、少なくとも１つの追加の非同期シリアルインタフェースを備え、
前記デジタルベースバンド信号の正弦成分は、前記第一の非同期シリアルインタフェースを介して第一のデジタル信号として出力され、
前記デジタルベースバンド信号の余弦成分は、第二の非同期シリアルインタフェースを介して第二のデジタル信号として出力される、
ことを特徴とする符号化装置。
【請求項２】
前記第一の非同期シリアルインタフェースに接続され、前記デジタルベースバンド信号又は前記デジタル中間周波信号を、前記第一の非同期シリアルインタフェースの伝送フォーマットに変換する出力装置を更に備える、
請求項１記載の符号化装置。
【請求項３】
前記デジタルベースバンド信号又は前記デジタル中間周波信号は、離散的なデータ・ポイントの時系列を含み、
前記出力装置における前記デジタルベースバンド信号又は前記デジタル中間周波信号の前記データ・ポイントは、ブロック化パターンに基づいて、前記第一の非同期シリアルインタフェースの伝送フォーマットの少なくとも２つの伝送ブロックに配分され、前記データ・ポイント１個分のデータサイズが個々の伝送ブロックのデータサイズよりも大きい場合に、変換されたデジタルベースバンド信号又はデジタル中間周波信号と共にブロック化パターンが出力される、
請求項２記載の符号化装置。
【請求項４】
クロック信号を発生する同期装置を更に備え、
前記同期装置は、前記クロック信号を出力するために前記出力装置及び／又は同期インタフェースに接続される、
請求項２又は３記載の符号化装置。
【請求項５】
前記デジタルデータストリームを入力する第三の非同期シリアルインタフェースを更に備え、
前記第三の非同期シリアルインタフェースは、前記第一の非同期シリアルインタフェースにダイレクトに接続される、
請求項１乃至４の何れか一項に記載の符号化装置。
【請求項６】
デジタルベースバンド信号又はデジタル中間周波信号を処理する装置であって、
当該装置は、前記デジタルベースバンド信号又は前記デジタル中間周波信号を入力する第一の非同期シリアルインタフェースを備え、
更に、少なくとも１つの追加の非同期シリアルインタフェースを備え、
前記デジタルベースバンド信号の正弦成分は、前記第一の非同期シリアルインタフェースを介して第一のデジタル信号として入力され、
前記デジタルベースバンド信号の余弦成分は、第二の非同期シリアルインタフェースを介して第二のデジタル信号として入力される、
ことを特徴とする装置。
【請求項７】
前記非同期シリアルインタフェースに接続され、前記第一の非同期シリアルインタフェースの伝送フォーマットにある入力信号を前記デジタルベースバンド信号又は前記デジタル中間周波信号に変換する入力装置を更に備える、
請求項６記載の装置。
【請求項８】
前記デジタルベースバンド信号又は前記デジタル中間周波信号は、離散的なデータ・ポイントの時系列を含み、
前記入力装置における前記デジタルベースバンド信号又は前記デジタル中間周波信号の前記データ・ポイントの各々は、前記データ・ポイント１個分のデータサイズが前記第一の非同期シリアルインタフェースの前記伝送フォーマットにおいて定義される伝送ブロック１個分のデータサイズよりも大きい場合に、前記デジタルベースバンド信号又は前記デジタル中間周波信号と共に入力されたブロック化パターンに基づいて、前記伝送ブロックから決定される、
請求項７記載の装置。
【請求項９】
前記入力装置に接続され、クロック信号を入力する同期インタフェースを更に備える、
請求項７又は８記載の装置。
【請求項１０】
前記デジタルベースバンド信号をアナログベースバンド信号に変換するか、又は前記デジタル中間周波信号をアナログ中間周波信号に変換するデジタル／アナログ変換器を更に備える、
請求項６乃至９の何れか一項に記載の装置。
【請求項１１】
外部のデータ供給源から入力されたデジタルデータストリームを、デジタルベースバンド信号に変換するか、又はデジタル中間周波信号に変換する符号化モジュールを更に備え、
前記符号化モジュールは、前記第二の非同期シリアルインタフェースと前記デジタル／アナログ変換器との間で切り替えられる、
請求項１０記載の装置。
【請求項１２】
請求項１乃至５の何れか一項に記載の符号化装置と、請求項６乃至１１の何れか一項に記載の装置とを備えるシステムであって、
前記符号化装置の前記第一の非同期シリアルインタフェースは、前記装置の前記第一の非同期シリアルインタフェースに接続される、
ことを特徴とするシステム。
【請求項１３】
ベースバンド信号又は中間周波信号を外部でデジタル符号化する方法であって、
当該方法は、
符号化装置が、デジタルデータストリームを、デジタルベースバンド信号に変換するか又はデジタル中間周波信号に変換するステップと、
前記符号化装置の非同期シリアルインタフェースが、変換されたデジタルベースバンド信号又は変換されたデジタル中間周波信号を出力するステップと、
前記符号化装置の前記非同期シリアルインタフェースに接続される装置の非同期シリアルインタフェースを介して、出力されたデジタルベースバンド信号又はデジタル中間周波信号を入力するステップと、
入力されたデジタルベースバンド信号又は変換されたデジタル中間周波信号を更に処理するステップと、
を含み、さらに、
前記符号化装置の前記非同期シリアルインタフェースを介して第一のデジタル信号として前記デジタルベースバンド信号の正弦成分を出力し、かつ、前記符号化装置の少なくとも一つの他の異なる非同期シリアルインタフェースを介して第二のデジタル信号として前記デジタルベースバンド信号の余弦成分を出力する、ステップと、
前記符号化装置の前記非同期シリアルインタフェースを介して前記第一のデジタル信号として前記デジタルベースバンド信号の前記正弦成分を読出し、かつ、前記符号化装置の少なくとも一つの他の異なる非同期シリアルインタフェースを介して前記第二のデジタル信号として前記デジタルベースバンド信号の前記余弦成分を読み出す、ステップと、
を含む、ことを特徴とする方法。
【発明の詳細な説明】
【技術分野】
【０００１】
本発明は、デジタルデータストリームを変換する符号化装置、デジタルベースバンド信号又はデジタル中間周波信号を更に処理する装置、前記符号化装置を有するシステム、デジタルデータストリームの外部デジタル符号化の方法に関する。
【背景技術】
【０００２】
デジタル無線において、音楽又は映像データのような連続するデジタルデータストリームの伝送のために地域標準及び／又は国際標準が定義されている。従って、例えば、欧州では、デジタルテレビの規格としてDVB（Digital Video Broadcasting）が定義されており、デジタル無線の規格としてDAB（Digital Audio Broadcasting）が規定されている。この規格のため、無線規格は、デジタル伝送技術の最新の状態を反映していない。従って、デジタル無線規格は、新たな規格に適合される無線伝送装置を要求することになる新たな無線規格で置き換えられる。
【０００３】
地上波デジタルビデオ放送規格DVB-Tの無線システムにおいて、ビデオデータストリームは、非同期シリアルインタフェース（ASI: Asynchronous Serial Interface）を介して制御送信機（Exciter）に伝送され、この制御送信機は、ビデオデータストリームをDVB-T規格に従う無線信号に変換し、無線信号を増幅器に送出する。増幅器は、無線アンテナにより増幅された無線信号を送信する。
【０００４】
DVB-Tのような新たな無線規格が使用される場合、制御送信機は、例えば大きなデータボリュームを扱うため、新たな無線規格に適合される。以前に使用された制御送信機は、制御送信機の簡単な再プログラミングが不十分であるように、DVB-T2規格のこれらの高い要件のために設計されない。
【発明の概要】
【発明が解決しようとする課題】
【０００５】
本発明の目的は、従来技術のこれらの課題を解決し、全体の制御送信機の置き換えのために簡単且つコスト的に有利な代替を発見することにある。
【課題を解決するための手段】
【０００６】
上記目的は、請求項１に係る符号化装置により達成される。本発明に係る符号化装置は、デジタルデータストリームを、時間領域においてデジタルベースバンド信号又は時間領域においてデジタル中間周波信号に変換するのに適している。本符号化装置は、符号化装置で生成されたデジタルベースバンド信号又は中間周波信号の出力のための非同期シリアルインタフェースを提供する。
【０００７】
上記目的は、さらに、請求項７に記載されるような本発明に係る装置により達成される。本発明に係る装置は、時間領域におけるデジタルベースバンド信号又は時間領域における中間周波信号の更なる処理に適している。本発明に係る装置は、デジタルベースバンド信号又は中間周波信号の入力のための非同期シリアルインタフェースを提供する。
【０００８】
本発明は、請求項１４に記載されるような、本発明に係るシステムにより達成される。本システムは、本発明に係る先に記載された符号化装置、本発明に係る先に記載された装置を提供する。符号化装置の非同期シリアルインタフェース及び装置の非同期シリアルインタフェースは、互いに接続される。
【０００９】
上記目的は、請求項１５に係るベースバンド信号又は中間周波信号の外部のデジタル符号化のための、本発明に係る方法により達成される。本発明に係る方法は、以下のステップを含む。デジタルデータストリームは、符号化装置において、時間領域におけるデジタルベースバンド信号に変換されるか、又は時間領域におけるデジタル中間周波信号に変換される。これに続いて、デジタルベースバンド信号又は中間周波信号は、符号化装置の非同期シリアルインタフェースを介して出力される。出力のデジタルベースバンド信号は、ケーブルのような伝送手段により装置の非同期シリアルインタフェースに伝送され、ここで、該出力のデジタルベースバンド信号は、装置により入力される。装置は、入力のデジタルベースバンド信号又は中間周波信号を更に処理する。
【００１０】
外部の符号化、すなわち外部装置での時間領域におけるデジタルベースバンド信号又はデジタル中間周波信号の制御送信機外での符号化、及び制御送信の既存のASIインタフェースにより生成される信号の伝送により、変化後に達成されるべき制御送信機の伝送規格の置換えを回避することができる。次いで、制御送信機は、ソフトウェアのアップデートのみを必要とし、これはASIインタフェースの送信された信号からデジタルベースバンド信号又はデジタル中間周波信号を読み取る命令を決定し、旧式の規格に従う符号化にブリッジをする。時間領域におけるデジタル信号を提供することで、ベースバンド信号又は中間周波信号は、デジタルASIインタフェースを介して伝送される。  
従属の請求項は、本発明の有利な更なる発展に関連する。
【００１１】
本符号化装置は、非同期シリアルインタフェースへの接続のために出力装置又は非同期シリアルインタフェースにそれぞれ接続される出力装置を有利にも提供する。出力装置は、デジタルベースバンド信号又は中間周波信号をASIインタフェースの伝送フォーマットに変換するのに適しており、これにより、制御送信機は、既存のASIインタフェースを介して外部で符号化されたデジタルベースバンド信号を受信することができる。これは、デジタルベースバンド信号又は中間周波信号の入力が制御送信機で提供されないためである。代替的に、本装置に係る装置は、装置の非同期シリアルインタフェースに接続される入力装置を提供する。入力装置は、非同期シリアルインタフェースの伝送フォーマットに存在する信号から、デジタルベースバンド信号又はデジタル中間周波信号を読み込むのに適している。本発明に係る装置として制御送信機の係る整合により、制御送信機は、外部で符号化されたデジタルベースバンド信号又は中間周波信号を読み込むことができ、入力デジタル信号を更に処理することができる。更なる処理のために必要とされる整合は、ソフトウェアのアップデートを通して実現されるのが好ましい。
【００１２】
ASIインタフェースの伝送フォーマットの伝送ブロックを通して符号化装置の出力装置におけるデジタルベースバンド信号又は中間周波信号の各テストポイントのデータを細分し、テストポイントのデータサイズが伝送ブロックのデータサイズよりも大きい場合、変換されたデジタルベースバンド信号又は中間周波信号と共にブロッキングパターンを出力することが特に有利である。従って、装置の入力装置内で、デジタルベースバンド信号又は中間周波信号の各テストポイントは、この場合、デジタルベースバンド信号又は中間周波信号と共に入力されたブロッキングパターンに基づいて、伝送ブロックから決定される。この環境において、ブロッキングパターンは、特に複数の伝送ブロックに含まれるテストポイントの情報の順序及びシーケンスである、複数の伝送ブロックからテストポイントを再構成するために必要な情報を示す。これは、テストポイントのデータサイズ及び従って時間領域におけるデジタルベースバンド信号又は中間周波信号の分解能が、伝送ブロックのサイズ又は長さにより制限されないという利点を有する。
【００１３】
出力装置に接続されるクロック信号を発生する同期ユニット及び／又はクロック信号の出力のための同期インタフェースを符号化装置が提供することが特に有利である。さらに、入力装置に接続されて、本装置は、クロック信号の入力のために同期インタフェースを提供する。２つの同期インタフェースの接続により、入力装置は、出力装置と同期することができ、並列の出力信号が符号化装置の更なるASIインタフェースを介して同期されるか、入力装置の更なるインタフェースの並列の入力信号がクロック信号に同期される。同時に、このクロック信号は、コモンモードのネットワークの符号化装置のクロック信号への同期のために本装置で更に使用される。
【００１４】
さらに、本符号化装置は、少なくとも１つの更なるASIインタフェースを提供し、デジタルベースバンド信号の第一の部分は、第一のデジタル信号として出力され、デジタルベースバンド信号の第二の部分は、異なるASIインタフェースを介した第二のデジタル信号として出力されることは利点がある。これに応じて、更なる部分は、更なるASIインタフェースを介して送信される。また、本装置は、更なる非同期シリアルインタフェースを提供し、第一のデジタル信号と第二のデジタル信号は、異なる非同期シリアルインタフェースを介して入力されることは利点がある。２つのASIインタフェースにより、符号化装置と装置との間の最大の伝送速度を２倍にすることができる。デジタルベースバンド信号又は中間周波信号の第一及び第二の部分は、好ましくは、時間領域におけるベースバンド信号又は中間周波信号の逆フーリエ変換の実成分と虚成分であり、すなわち、周波数帯域の直交周波数を通して分布される同相−直交位相の領域におけるポイントの実成分と虚成分である。ベースバンド信号又は中間周波信号の第一及び第二の部分の個別の伝送は特に有利である。それは、この方式において、ベースバンド信号の第一及び第二の成分を結合するためにデバイスエンドで更なるデータが必要とされないからである。結果として、２倍にされた最大の伝送速度は、並列に伝送されるベースバンド信号又は中間周波信号の成分を結合するための更なる情報により制限されない。
【００１５】
さらに、本装置がデジタル／アナログコンバータを提供することは有利であり、このコンバータは、デジタルベースバンド信号をアナログベースバンド信号に変換するか、デジタル中間周波信号をアナログの中間周波信号に変換する。
【００１６】
さらに、本装置は、搬送波周波数に混合されるアナログベースバンド信号の送信又は搬送波周波数に混合されるアナログ中間周波信号の送信のために送信装置を有することは利点がある。
【００１７】
さらに、本符号化装置は、デジタルデータストリームの入力のために非同期シリアル入力インタフェースを提供することは利点があり、非同期シリアル入力インタフェースは、符号化装置の非同期シリアルインタフェースにダイレクトに接続される。さらに、本装置がデジタルストリームの時間領域におけるデジタルベースバンド信号への変換又は時間領域におけるデジタル中間周波信号への変換のために符号化ユニットを有することは利点があり、符号化ユニットは、非同期シリアルインタフェースとデジタル／アナログコンバータとの間に切り替えられる。従って、本システムは、シンプルに実現され且つコスト的に有利な、旧式の無線規格との後方互換性を提供する。
【図面の簡単な説明】
【００１８】
本発明の好適な例示的な実施の形態は、添付図面を参照して以下に記載される。添付図面は以下の通りである。
【図１】本発明に係るシステムの第一の例示的な実施の形態を示す図である。
【図２】本発明に係るシステムの第二の例示的な実施の形態を示す図である。
【図３】本発明に係る方法ステップのフローチャートである。
【発明を実施するための形態】
【００１９】
図１は、本発明に係るシステムの第一の例示的な実施の形態を示す。本システム１は、符号化装置２と、時間領域におけるデジタルベースバンド信号の更なる処理又は時間領域におけるデジタル中間周波信号の更なる処理のための装置としての制御送信機３とを提供する。簡略化のため、参照は、ベースバンド信号にのみ行われる。符号化装置２は、欧州規格EN-50083-9に従ってASI出力インタフェース４及び５を提供する。制御送信機３は、欧州規格EN-50083-9の２つの対応するASIインタフェース６及び７を提供する。
【００２０】
符号化装置２の第一のASI出力インタフェース４は、第一のコネクションライン８を介して制御送信機３の第一のASIインタフェース６に接続される。符号化装置２の第二のASI出力インタフェース５は、第二のコネクションライン９を介して制御送信機３の第二のASIインタフェース７に接続される。光学的なASIインタフェースの場合、コネクションライン８及び９は、グラスファイバケーブルである。
【００２１】
符号化装置２は、符号化モジュール１５に接続される、欧州規格EN-50083-9に従う２つのASI入力インタフェース１３及び１４を更に提供する。ASI入力インタフェース１３及び１４を介して、符号化モジュール１５は、MPEG-2（Moving Picture Experts Group -2）伝送ストリーム（TS:
Transport Stream）又は幾つかのMPEG-2トランスポートストリームを受信する。MPEG-2伝送ストリームは、１以上のMPEG-2プログラムストリームを含み、このMPEG-2プログラムストリームのそれぞれは、連続するビデオストリーム及びテレビプログラムの関連する更なるデータを含む。このMPEG-2伝送ストリームは、欧州規格EN-50083-9に従って、８ビットブロックにシリアルに細分され、１０ビットの長さのデータブロックとして添付の誤り訂正と送信される。ASI入力インタフェース１３及び１４で、シリアルに送信されたデータブロックは、同期された連続するMPEG-2伝送ストリームに変換されるか、又は並列の、同期された連続するMPEG-2伝送ストリームに変換される。MPEG-2伝送ストリームは、EN-50083-9規格のASIインタフェースを介して光学的且つ電子的に伝送される。
【００２２】
符号化装置１５は、MPEG-2伝送ストリームを受信し、DVB-T2規格に対応する時間領域におけるデジタルベースバンド信号に変換する。時間領域におけるデジタル信号は、デジタル時間信号とも呼ばれ、離散データポイントの時間系列により特徴付けされる。このデジタルベースバンド信号は、符号化モジュール１５に接続される出力装置１６に送出される。このポイントで、ベースバンド信号がDVB動作モードにおいてのみ使用されるタイプの信号である事実が参照される。また、時間領域におけるデジタル中間周波信号は、ここで送信される。
【００２３】
符号化モジュール１５は、QPSK, 16QAM, 32QAM, 64QAM, 256QAMのような直交振幅変調によりMPEG-2 TSのデータを、コードワードとも呼ばれる同相（I）−直交位相（Q）のダイアグラムにおけるポイント又はコンステレーションに変調する。コンステレーションは、時間及びベースバンドの利用可能な直交周波数を通して細分される。DVB-T2規格では、ベースバンドは、1.7MHz，5MHz，7MHz，8MHz及び10MHzの帯域幅を有する。符号化モジュール１５は、異なる誤り訂正メカニズム（前方誤り訂正“FEC”）を異なる符号化ステージにおける信号に付加し、ビットインタリービング、セルインタリービング、時間インタリービング及び周波数インタリービングのような異なるインタリーブ処理（interleaving）を行う。直交搬送波の周波数で同時に伝送されるコンステレーションは、例えば逆高速フーリエ変換（IFFT）といった逆フーリエ変換を通して時間領域にデジタルで伝送される、このように計算される時間信号のテストポイントは、１４ビットの精度で分解される。逆フーリエ変換の後、デジタルベースバンド信号は、時間領域に存在する。ベースバンド信号は、ピーク対平均電力比（PAPR：Peak to Average Power Ratio）を減少することで、ベースバンド信号の冗長な部分を繰り返すガードインターバル（guard interval）を挿入することで、プリアンブル（P1）を挿入することで、DVB-T2規格内で完成される。デジタルベースバンドを更に処理するこれらデジタルで実行されたステップは、第一の例示的な実施の形態では、符号化モジュール１５で実行されることが好ましい。代替として、これらのステップは、デジタルベースバンド信号の読取り後に、制御送信機３において実行される。
【００２４】
時間領域におけるデジタルベースバンド信号は、ベースバンドにおける周波数に割り当てられるI-Qダイアグラムにおけるコンステレーションの逆フーリエ変換、又はベースバンドにおける幾つかの異なる周波数に割り当てられたI-Qダイアグラムにおける幾つかのコンステレーションの逆フーリエ変換である。ベースバンド信号は、連続した時間において離散的なタイミングポイントを有するデジタル時間信号である。ベースバンド信号のみが現実的なやり方で伝送されるので、逆フーリエ変換の実成分と虚成分は、９０度だけ位相シフトされた、直交する、重ね合わせた実信号成分として送信される。９０°の位相のずれは、実成分を中間周波の正弦と混合、すなわち中間周波で交代する発振器により混合すること、虚成分を中間周波の余弦とを混合、すなわち９０°だけ位相がシフトされた発振器により混合することにより達成される。従って、後続のセクションでは、逆フーリエ変換の虚部は、ベースバンド信号の正弦成分と呼ばれ、実成分は、ベースバンド信号の余弦成分と呼ばれる。正弦成分と余弦成分は、ベースバンド信号のＩ成分及びＱ成分と呼ばれることがある。第一の例示的な実施の形態では、余弦成分は、９０°の位相のずれがなく出力装置１６に送出される。この環境において、余弦成分は、正弦成分に関して既に９０°だけ位相シフトされているか、又は位相のずれが制御送信機３においてのみ実現されているかに関係しない。
【００２５】
符号化モジュール１５は、デジタルベースバンド信号のデジタル正弦成分及びデジタル余弦成分を、並列且つ同期したやり方であるが、重ね合わせることなしに出力装置１６に送出する。出力装置１６は、デジタルベースバンド信号の正弦成分を、ASI出力インタフェース４の欧州規格で定義された第一のASI出力インタフェース４の伝送規格に従って送信信号に変換する。第一のASI出力インタフェース４が実際に提供される、MPEG-2伝送ストリームの代わりに、デジタル正弦成分は、伝送信号の８ビットのペイロードデータブロックに細分される。テストポイントは１４ビットの長さを提供するので、それぞれのテストポイントは、７ビットの第一の部分と７ビットの第二の部分に細分され、それぞれのケースにおいて８ビットブロックに書き込まれる。例えば最初と最後といった未定義のビットは、これがテストポイントの第一の部分であるか第二の部分であるかに関してマークされる。代替として、第一の部分は８ビットを含み、第二の部分は６ビットを含む。８ビットのペイロードデータブロックは、制御情報及び誤り訂正メカニズムの追加により１０ビット長の伝送ブロックに拡張される。伝送ブロックは、最初のASI出力インタフェース４の規格に対応して、シリアルなやり方で出力される。
【００２６】
デジタルベースバンド信号の余弦成分は、８ビット／１０ビットのデータブロックにおける正弦成分と正確に同じやり方で、第二のASI出力インタフェース５を介して制御送信器３にシリアルに出力される。余弦成分の各テストポイントは、正弦成分の関連されるテストポイントを有し、この関連されるテストポイントは、関連性を維持し、データフローを起こすのを回避するために、同期して送信される。従って、正弦成分のテストポイントの第一の部分をもつ伝送ブロックは、正弦成分のテストポイントに関連する余弦成分のテストポイントの第一の部分を提供する伝送ブロックに同時に伝送される。
【００２７】
このため、出力装置１６は、クロック信号を出力装置１６に送出する同期装置１７に接続される。また、同期装置１７は、子のクロック信号を、制御送信器３の同期インタフェース１２にライン１１を介して接続される同期インタフェース１０に送出する。同期インタフェース１２は、図１に例示されないグローバルポジショニングシステム（GPS）の装置に入力インタフェース１８を介して接続される。同期装置１７は、GPS装置からのクロック信号を計算する。
【００２８】
制御送信機３は、入力インタフェース６及び７に接続される、入力装置１９を提供する。入力装置１９は、入力伝送ブロックから各テストポイントの第一及び第二の部分を読取り、これらを結合する。第一のASI入力インタフェース６を介して入力されたテストポイントは、デジタルベースバンド信号の正弦成分を形成するために結合され、第二のASI入力インタフェース７を介して入力されたテストポイントは、デジタルベースバンド信号の余弦成分を形成するために結合される。関連されるテストポイントの第一又は第二の部分の関連する伝送ブロックは、入力装置１９に同期して入力される。同期は、符号化装置２により出力され、同期インタフェース１２及び同期装置２０を介して入力装置１９に送出され、必要に応じて回復されるクロック信号によりチェックされる。
【００２９】
デジタルベースバンド信号の正弦成分及び余弦成分は、デジタル／アナログコンバータ２１及び２２のそれぞれのケースにおいて同期して出力される。第一のデジタル／アナログコンバータ２１は、ベースバンド信号のデジタル正弦成分をベースバンド信号のアナログ正弦成分に変換する。これに応じて、第二のデジタル／アナログコンバータ２２は、ベースバンド信号のデジタル余弦成分をベースバンド信号のアナログ余弦成分に変換する。ベースバンド信号のアナログ正弦成分及び余弦成分は、ミキサ２３及び２４を介して中間周波数に混合される。２つのミキサ２３及び２４の発振器の発振は、同じ周波数を与えるが、９０°だけ位相がシフトされる。中間周波数に混合されるアナログ余弦成分と、中間周波数に混合されるベースバンドのアナログ制限成分は、アナログ中間周波信号を形成するため、ミキサ２３及び２３からの９０°の位相のずれにより加算器２５で重ね合わせされる。訂正装置２６では、アナログの中間周波信号は、更なる訂正ステップを受け、搬送波周波数としての無線周波数に混合されて無線信号が形成される。無線信号は、図１に例示されていない増幅器に出力インタフェース２７を介して送出され、図１に例示されていないアンテナを介して増幅されて送信される。
【００３０】
代替的な例示的な実施の形態では、デジタル正弦成分及びデジタル余弦成分は、デジタルベースバンド信号を形成するために、既に、デジタル的に重ね合わせられ、符号化装置２の符号化モジュールにおいて９０°だけ位相シフトされている。しかし、デジタルベースバンド信号の送信のために２つのASI出力インタフェース４及び５の使用により、入力装置１９における２つのASI入力インタフェースからデジタルベースバンド信号を読み取り、連続的且つ同期されたデジタルベースバンド信号を形成するために、デジタルベースバンド信号が２つのASI出力インタフェース４及び５に分散されるパターンも送信される。結果として、デジタルベースバンド信号のみが、デジタル／アナログコンバータにおいてアナログベースバンド信号に変換される。次いで、アナログベースバンド信号は、ミキサにおいて中間周波信号に混合され、訂正装置２６に送出される。
【００３１】
DVB-T2規格に従うデジタルベースバンド信号への符号化装置２におけるMPEG-2伝送ストリームの外部符号化により、制御送信器３へのASIインタフェースを介した時間領域におけるデジタルベースバンド信号の伝送により、ASIインタフェースのフォーマットにある伝送信号からデジタルベースバンド信号の入力について制御送信器３の対応する整合により、制御送信器３は、ベースバンド信号の入力を本来提供しないが、その完全な形で置き換えられる必要はない。制御送信器３は、デジタルベースバンド信号を入力し、DVB-T符号化をスキップするソフトウェアのアップデートによりマッチングされる必要があるのみである。
【００３２】
DVB-T規格のための後方互換性は、本発明により更に実現される。このため、符号化装置２は、２つのASI入力インタフェース１３及び１４を２つのASI出力インタフェース４及び５で短絡し、DVB-T2符号化を中断する必要があるのみである。これを達成するため、ASI入力及び出力インタフェース１３，１４及び４，５は、それぞれスイッチ２８及び２９を介してダイレクトに接続される。このケースでは、制御送信器３における入力装置１９は、DVB-T符号化モジュール３０にダイレクトに入力MPEG-2伝送ストリームを送出し、DVB-T符号化モジュールは、デジタルベースバンド信号をデジタル／アナログコンバータに送出し、又はベースバンド信号のデジタル正弦及び余弦成分をデジタル／アナログコンバータ２１及び２２に変換する。
【００３３】
図２は、本発明の第二の例示的な実施の形態を示す。システム３１は、システム１と実質的に同じやり方で構成される。同じ装置は、同じ参照符号でマークされており、関連する記載は繰り返されない。システム１の第一の例示的な実施の形態のケースにおけるように、デジタルベースバンド信号は、符号化装置３２の符号化モジュール３３で生成される。さらに、正弦成分及び余弦成分は、デジタルベースバンド信号を形成するために、デジタル的に重ね合わせられ、９０°だけ位相シフトされ、デジタルベースバンド信号は、中間周波にデジタル的に混合される。時間領域におけるデジタル中間周波信号は、出力装置３４に送出され、出力装置では、デジタル中間周波信号は、コネクションライン８と入力インタフェース６を介してASI出力インタフェース４の伝送フォーマットに従って伝送信号に変換され、制御送信器３６の入力装置３５に送出される。入力装置３５は、入力装置１９に概して対応しており、ベースバンド信号のデジタル正弦成分の代わりに、伝送信号からダイレクトにデジタル中間周波信号を決定する。符号化モジュール３３における正弦及び余弦成分の重ね合わせにより、中間周波へのデジタルベースバンド信号の混合により、第一の例示的な実施の形態におけるように、同じデータレートがASIインタフェースにより達成される。代替として、要求されるデータレートに依存して、データレートは、第一の例示的な実施の形態により規定される実施の形態に対応して、２つのASIインタフェースを介して中間周波信号を送信することで２倍にされる。
【００３４】
入力のデジタル中間周波信号は、デジタル／アナログコンバータ３７においてアナログ中間周波信号に変換される。アナログ中間周波信号は、第一の例示的な実施の形態の制御送信器３に置けるように、訂正装置２６において更に処理される。
【００３５】
図３は、デジタルデータストリームの外部での符号化のための、本発明に係る方法のステップによるフローチャートを示す。本方法は、第一の２つの例示的な実施の形態と共に既に記載されているので、最も重要なステップがここでは記載される。
【００３６】
第一のステップＳ１では、MPEG-2伝送ストリームは、デジタルデータストリームとして、符号化装置２又は３２の符号化モジュール１５又は３３において、DVB-T2規格に従ってデジタルベースバンド信号又はデジタル中間周波信号に符号化される。このデジタル信号は、ASIインタフェース４及び／又は５のデジタルフォーマットにされ、このASIインタフェース４及び／５を介して第二のステップＳ２で制御送信機３又は３６に送信される。第三のステップＳ３では、デジタルベースバンド信号又はデジタル中間周波信号は、受信された信号から読み取られる。第四のステップＳ４では、デジタルベースバンド信号又はデジタル中間周波信号は、デジタル／アナログコンバータ２１，２２又は３７で、DVB-T2規格のアナログベースバンド信号又は中間周波信号に変換され、第五のステップＳ５では、DVB-T2規格に従って無線信号を形成するために、訂正装置２６で更に処理される。
【００３７】
MPEG-2伝送ストリームの代替として、音楽ストリームのような任意のデータストリームを使用することができる。符号化モジュール１５は、チップ又はチップセットであることが好ましいが、代替として、複数の個々の装置を有することができる。
【００３８】
本発明は、DVB-T2規格の無線伝送システムの例と共に記載された。本発明は、記載された例示的な実施の形態に限定されるものではない。逆に、本発明は、DVB-S及びDVB-Cのような衛星及びケーブル支援システム向けの伝送システムで使用することができる。さらに、本発明は、原理的に、全ての無線規格の全ての伝送システムで使用することができる。
【００３９】
また、本発明は、他のデータ伝送システムで使用することができる。本発明は、記載される例示的な実施の形態に限定されない。逆に、例示的な実施の形態に全ての態様は、有利に組み合わせられる。
【図１】
0005907870.tif 000002
【図２】
0005907870.tif 000003
【図３】
0005907870.tif 000004